(57)【特許請求の範囲】
【請求項１】
床パネルの端部と型鋼の床梁とが接合される床パネルと床梁との接合構造であって、
上記床梁のウエブに、この床梁の長手方向に略同じ長さで延びる型鋼の床受材のウエブが床梁のウエブより上方に突出する位置で当接するとともに、双方のウエブの面どうしが溶接或いはカシメにより固着され、
上記床パネルの端部が上記床受材の下フランジに載置され、
上記床受材と上記床パネルの端部とが固定されて上記床パネルと上記床梁とが接合されることを特徴とする床パネルと床梁との接合構造。
【請求項２】
上記床受材と床パネルの端部とが、上記床受材のウエブを貫通し、上記床パネルの面方向に延びる固定手段を用いて固定された請求項１に記載の床パネルと床梁との接合構造。
【請求項３】
上記床受材と床パネルの端部とが、上記床受材の下フランジを貫通し、上記床パネルの面に垂直な方向に延びる固定手段にて固定された請求項１又は２に記載の床パネルと床梁との接合構造。
【請求項４】
一の床パネルに固定された床梁と、他の床パネルに固定された床梁とが、連結手段を介して連結されて上記両床パネルが結合された請求項１〜３のいずれか一に記載の床パネルと床梁の接合構造。
【請求項５】
請求項１〜４のいずれか一に記載の床パネルと床梁との接合構造によって、床パネルと床梁が接合された建物ユニット。
【発明の詳細な説明】
【０００１】
【発明の属する技術分野】
本発明は、床パネルと床梁の接合構造及び建物ユニットに関する。
【０００２】
【従来の技術】
特願平5-223206号（平成 5年 9月 8日出願）の明細書には、壁パネルの内面に床パネルの端部が突き合せて配置され、壁パネルが配置されていない床パネルの端部に床梁が設置された建物ユニットが記載されている。
【０００３】
【発明が解決しようとする課題】
ところが、上記明細書には、床パネルと床梁との接合構造についての記載がなされていない。
【０００４】
本発明の課題は、上述の事情を考慮してなされたものであり、床梁の剛性を増大させて床パネルの構造耐力を向上させることができる床パネルと床梁の接合構造及び建物ユニットを提供することにある。
【０００５】
【課題を解決するための手段】
請求項１に記載の発明は、床パネルの端部と型鋼の床梁とが接合される床パネルと床梁との接合構造であって、上記床梁のウエブに、この床梁の長手方向に略同じ長さで延びる型鋼の床受材のウエブが床梁のウエブより上方に突出する位置で当接するとともに、双方のウエブの面どうしが溶接或いはカシメにより固着され、上記床パネルの端部が上記床受材の下フランジに載置され、上記床受材と上記床パネルの端部とが固定されて上記床パネルと上記床梁とが接合されるようにしたものである。
【０００６】
請求項２に記載の発明は、請求項１に記載の発明において、上記床受材と床パネルの端部とが、上記床受材のウエブを貫通し、上記床パネルの面方向に延びる固定手段を用いて固定されたものである。
【０００７】
請求項３に記載の発明は、請求項１又は２に記載の発明において、上記床受材と床パネルの端部とが、上記床受材の下フランジを貫通し、上記床パネルの面に垂直な方向に延びる固定手段にて固定されたものである。
【０００８】
請求項４に記載の発明は、請求項１〜３のいずれか一に記載の発明において、一の床パネルに固定された床梁と、他の床パネルに固定された床梁とが、連結手段を介して連結されて上記両床パネルが結合されたものである。
【０００９】
請求項５に記載の発明は、請求項１〜４のいずれか一に記載の床パネルと床梁との接合構造によって、床パネルと床梁が接合された建物ユニットである。
【００１０】
【作用】
請求項１に記載の発明には、次の作用がある。
床梁のウエブと型鋼の床受材とのウエブとを面どうし固着することから、溶接面積或いはカシメの打点数を増大でき、床梁の剛性を高めることができる。このため、この床梁を床パネルに固定することにより、床パネルの構造耐力を向上させることができる。
【００１１】
請求項２に記載の発明には、次の作用がある。
床梁に固着された床受材と床パネルとが、床受材のウエブを貫通し、床パネルの面方向に延びる固定手段にて固定されることから、床パネルの面に垂直な方向の荷重に対し、床パネルと床梁との接合強度を高めることができる。
【００１２】
請求項３に記載の発明には、次の作用がある。
床梁に固着された床受材と床パネルとが、床受材の下フランジを貫通し、床パネルの面に垂直な方向に延びる固定手段にて固定されることから、床パネルの面方向の荷重（例えば引抜荷重）に対し、床パネルと床梁との接合強度を高めることができる。
【００１３】
請求項４に記載の発明には、次の作用がある。
一の床パネルにおける床梁と、他の床パネルにおける床梁とが、連結手段を介して連結されて両床パネルが結合されることから、両床パネルを容易且つ段差なく結合させることができる。
【００１４】
請求項５に記載の発明には、次の作用がある。
床パネルの構造耐力を十分に確保した建物ユニットを実現できる。
【００１５】
【発明の実施の形態】
以下、本発明の実施の形態を、図面に基づいて説明する。
(1) 第１の実施の形態
図１は、本発明に係る建物ユニットの第１の実施の形態を示す斜視図である。図２は、図１の床パネルを床梁とともに示す分解斜視図である。図３は、図１のIII 部の断面状態であり、他の床パネルとの連結状態を示す断面図である。
【００１６】
図１に示す建物ユニット１０は、壁パネル１１の内面に床パネル１２の端部を突き合せて配置されてほぼ箱形状に構成される、いわゆる壁勝ちの建物ユニットである。この建物ユニット１０では、壁パネル１１が配置されていない床パネル１２の端部に床梁１３が接合され、この床梁１３の両端が両側の壁パネル１１に取り付けられる。
【００１７】
床パネル１２は、図２に示すように、妻方向に延びる複数本の床根太１４を有し、妻方向の両端部に端根太１５を、桁方向の両端部に側根太１６をそれぞれ備えて床枠組が形成され、この床枠組に床面材１７及び下面材１８（図３）が取り付けられて構成される。
【００１８】
また、壁パネル１１は、図示しないが、上枠と下枠との間に複数本の縦枠を備えて壁枠組が形成され、この壁枠組に外壁面材、内壁面材を取り付けて構成される。
【００１９】
さて、上記床梁１３は、図３に示すようにＣ字型鋼にて構成され、この床梁１３のウエブ１９の背面に、床受材２０のウエブ２１が面どうし固着される。床受材２０は、Ｚ字型鋼或いはＬ字型鋼（図では、Ｚ字型鋼を示す）にて構成され、床梁１３の長手方向に延在する。この床受材２０のウエブ２１と床梁１３のウエブ１９とは、溶接或いはカシメにより固着される。床パネル１２の端部が床受材２０の下フランジ２５に載置される。
【００２０】
床受材２０が、固定手段としての木ねじ２２、２３を用いて床パネル１２の端部に固定されて、床梁１３と床パネル１２とが接合される。つまり、床受材２０のウエブ２１を貫通し、床パネル１２の面（床面材１７、下面材１８）の方向に延びる木ねじ２２により、床受材と床パネル１２の床根太１４及び端根太１５とが固定される。更に、床受材２０の下フランジ２５を貫通し、床パネル１２の面に垂直な方向に延びる木ねじ２３により、床受材と床根太１４及び端根太１５とが固定される。
【００２１】
この図３では、建物ユニット１０に他の建物ユニット１０が隣接して配置され、各建物ユニット１０の床パネル１２において壁パネル１１の配置されていない部分が連結されたものを示している。この場合、各建物ユニット１０の床パネル１２においては、床パネル１２に接合して一体化された床梁１３どうしが結合される。
【００２２】
つまり、各床パネル１２におけるそれぞれの床梁１３の上フランジ２６どうしと、下フランジ２７どうしとが、連結手段としてのジョイントプレート２８及びジョイントボルト・ナット２９を用いて連結されて、両建物ユニット１０の床パネル１２が結合される。
【００２３】
このとき、ジョイントプレート２８及びジョイントボルト・ナット２９並びに各床パネル１２に一体化された床梁１３は、継なぎ床面材３０を両床パネル１２の端根太１５間に、両床パネル１２の床面材１７と面一状態で掛け渡すことにより隠される。従って、この継なぎ床面材３０は、両床梁１３間を覆うだけの小面積で足りる。このとき、継なぎ床面材３０は、両床受材２０の上フランジ２４によっても支持されている。
【００２４】
尚、図中の符号３１は石膏ボードを示す。
上記実施の形態によれば、次の▲１▼〜▲７▼の効果を奏する。
▲１▼床梁１３のウエブ１９と型鋼の床受材２０のウエブ２１とを面どうし固着することから、溶接面積或いはカシメの打点数を増大でき、床梁１３の剛性を高めることができる。このため、この床梁１３を床パネル１２に木ねじ２２及び２３を用いて固定することにより、床パネル１２の構造耐力を向上させることができる。
【００２５】
▲２▼また、床梁１３に固着された床受材２０と床パネル１２とが、床受材２０のウエブ２１を貫通し、床パネル１２の面（床面材１７、下面材１８）方向に延びる木ねじ２２にて固定されることから、床パネル１２の面に垂直な方向の荷重に対し、床パネル１２と床梁１３との接合強度を高めることができる。
【００２６】
▲３▼更に、床梁１３に固着された床受材２０と床パネル１２とが、床受材２０の下フランジ２５を貫通し、床パネル１２の面（床面材１７、下面材１８）に垂直な方向に延びる木ねじ２３にて固定されることから、床パネル１２の面方向の荷重（例えば引抜荷重）に対し、床パネル１２と床梁１３との接合強度を高めることができる。
【００２７】
▲４▼一の建物ユニット１０の床パネル１２に一体化された床梁１３と、他の建物ユニット１０の床パネル１２に一体化された床梁１３とが、ジョイントプレート２８及びジョイントボルト・ナット２９を介して連結されて、両建物ユニット１０の床パネル１２が結合されることから、これらの建物ユニット１０の床パネル１２を容易且つ段差なく結合させることができる。
【００２８】
▲５▼床パネル１２に剛性の大きな床梁１３が接合されたことから、床パネル１２の構造耐力を十分に確保した建物ユニット１０を実現できる。
【００２９】
▲６▼更に、壁パネル１１の内面に床パネル１２の端部が突き合せて配置されたことから、床パネル１２の床厚を増大でき、床衝撃音の遮音性を向上させることができる。
【００３０】
▲７▼壁パネル１１の内面に床パネル１２の端部が突き合せて配置されたことから、建物ユニット１０の高さが輸送上の制限を受けるにも拘らず、天井高さを増大して居住スペースを大きく設定できる。
【００３１】
(2) 第２、第３、第４の実施の形態
図４は、本発明に係る建物ユニットの第２の実施の形態に適用された床梁を床パネルとともに示す図３に対応した断面図である。図５は、本発明に係る建物ユニットの第３の実施の形態に適用された床梁を床パネルとともに示す図３に対応した断面図である。図６は、本発明に係る建物ユニットの第４の実施の形態に適用された床梁を床パネルとともに示す図３に対応した断面図である。これらの各実施の形態において、前記第１の実施の形態と同様な部分は、同一の符号を付すことにより説明を省略する。
【００３２】
第２の実施の形態の建物ユニット４０（図１）、第３の実施の形態の建物ユニット５０（図１）、及び第４の実施の形態の建物ユニット６０（図１）が前記第１の実施の形態の建物ユニット１０と異なる点は、床梁１３に一体化された床受材２０と床パネル１２との固定構造である。
【００３３】
つまり、建物ユニット４０においては、図４に示すように、床パネル１２の面（床面材１７、下面材１８）方向に延びる固定ボルト４１を、床梁１３のウエブ１９、床受材２０のウエブ２１及び床パネル１２の端根太１５に貫通させ、先端にナット４２を螺合することにより、床梁１３が床受材２０を介し床パネル１２の端部に接合される。上記固定ボルト４１及びナット４２が固定手段を構成する。
【００３４】
建物ユニット５０においては、図５に示すように、床パネル１２の面（床面材１７、下面材１８）方向に延びる固定ボルト５１は、一対の爪付きプレート５２を貫通し、床パネル１２の端根太１５を遊嵌状態で貫通し、更に床梁１３のウエブ１９及び床受材２０のウエブ２１を貫通して、先端にナット５３が螺合される。爪付きプレート５２は、端根太１５の両側に配置され、ナット５３の螺合により端根太１５に食い込み固定される。これら固定手段としての固定ボルト５１、爪付きプレート５２及びナット５３により、床梁１３が床パネル１２の端部に接合される。
【００３５】
建物ユニット６０においては、図６に示すように、床パネル１２の面（床面材１７、下面材１８）方向に延びる固定手段としてのラグスクリュー６１を、床梁１３のウエブ１９、床受材２０のウエブ２１、並びに床パネル１２の床根太１４に打ち込むことにより、床梁１３を床パネル１２の端部に接合させる。
【００３６】
これらの各実施の形態の建物４０、５０、６０では、第１の実施の形態の建物ユニット１０の▲１▼及び▲２▼並びに▲４▼〜▲７▼の効果を奏する。
【００３７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、床パネル１２の突部２０と床梁１３との結合時に接合面に接着剤を塗布してもよい。また、建物ユニット１０、４０、５０、６０において床パネル１２は矩形をなすものに限定されない。更に、建物ユニット１０、４０、５０、６０においては、床パネル１２の少なくとも一つの端部に壁パネル１１を配置するものであれば足りる。
【００３８】
【発明の効果】
以上のように、本発明に係る床パネルと床梁との接合構造及び建物ユニットによれば、床梁の剛性を増大させて、床パネルの構造耐力を向上させることができる。
【図面の簡単な説明】
【図１】図１は、本発明に係る建物ユニットの第１の実施の形態を示す斜視図である。
【図２】図２は、図１の床パネルを床梁とともに示す分解斜視図である。
【図３】図３は、図１のIII 部の断面状態であり、他の床パネルとの連結状態を示す断面図である。
【図４】図４は、本発明に係る建物ユニットの第２の実施の形態に適用された床梁を床パネルとともに示す図３に対応した断面図である。
【図５】図５は、本発明に係る建物ユニットの第３の実施の形態に適用された床梁を床パネルとともに示す図３に対応した断面図である。
【図６】図６は、本発明に係る建物ユニットの第４の実施の形態に適用された床梁を床パネルとともに示す図３に対応した断面図である。
【符号の説明】
１０  建物ユニット
１２  床パネル
１３  床梁
１４  床根太
１５  端根太
１９  床梁のウエブ
２０  床受材
２１  床受材のウエブ
２２、２３  木ねじ（固定手段）
２８  ジョイントプレート（連結手段）
２９  ジョイントボルト・ナット（連結手段）
【図１】
0003769333.tif 000002
【図２】
0003769333.tif 000003
【図３】
0003769333.tif 000004
【図４】
0003769333.tif 000005
【図５】
0003769333.tif 000006
【図６】
0003769333.tif 000007